(57)【要約】【課題】撮影した画像の確認が大きな表示部で、より詳細に、簡単に確認しやすく、その場で取り直しができるユーザに便利な撮像装置の制御方法を提供すること。【解決手段】情報を表示する第１、第２の２つの表示部と、被写体の撮影を実行する撮影実行入力部を有し、被写体情報を表示している状態では第２の表示部に表示し、撮影実行入力部により、被写体情報を記録し、記録した情報の確認表示を、第１の表示部に表示する。【選択図】図１
2009021947.tif 000002
【特許請求の範囲】
【請求項１】
情報を表示する第１、第２の２つの表示部と、被写体の撮影を実行する撮影実行入力部を有し、被写体情報を表示している状態では第２の表示部に表示し、前記撮影実行入力部により、被写体情報を記録し、記録した情報の確認表示を、第１の表示部に表示することを特徴とする撮像装置の制御方法。
【請求項２】
情報を表示する第１、第２の２つの表示部と、被写体の撮影を実行する撮影実行入力部を有し、被写体情報を表示している状態では第２の表示部に表示し、前記撮影実行入力部により、被写体情報を記録し、記録した情報の確認表示を所定時間、第１の表示部に表示することを特徴とする撮像装置の制御方法。
【請求項３】
情報を表示する第１、第２の２つの表示部を有し、被写体情報を第２の倍率で第２の表示部に表示し、第２の倍率とは異なる第１の倍率で、被写体情報を第１の表示部に表示することを特徴とする撮像装置の制御方法。
【請求項４】
情報を表示する第１、第２の２つの表示部と、被写体の撮影を実行する撮影実行入力部を有し、被写体情報を表示している状態では第２の表示部に第２の倍率で表示し、前記撮影実行入力部により、被写体情報を記録し、記録した情報の確認表示を所定時間、第１の表示部に第１の倍率で表示することを特徴とする撮像装置の制御方法。
【請求項５】
情報を表示する第１、第２の２つの表示部と、被写体のピント合わせ実行入力部と、被写体の撮影を実行する撮影実行入力部を有し、被写体情報を表示している状態では第２の表示部に表示し、前記ピント合わせ実行入力部により、被写体のピント合わせ状態では、第１の表示部にも表示することを特徴とする撮像装置の制御方法。
【請求項６】
情報を表示する第１、第２の２つの表示部と、被写体のピント合わせ実行入力部と、被写体の撮影を実行する撮影実行入力部を有し、被写体情報を表示している状態では第２の表示部に第２の倍率で表示し、前記ピント合わせ実行入力部により、被写体のピント合わせ状態では、第１の表示部にも第１の倍率で表示することを特徴とする撮像装置の制御方法。
【請求項７】
情報を表示する第１、第２の２つの表示部と、被写体情報と撮影画像一時確認表示を切り替えるための操作入力部を有し、被写体情報を表示している状態では第２の表示部に表示し、前記操作入力部によって、撮影画像一時確認表示に切り替えられた場合には、第１の表示部に表示することを特徴とする撮像装置の制御方法。
【請求項８】
情報を表示する第１、第２の２つの表示部と、被写体情報と撮影画像一時確認表示を切り替えるための操作入力部を有し、被写体情報を表示している状態では第２の表示部に第２の倍率で表示し、前記操作入力部によって、撮影画像一時確認表示に切り替えられた場合には、第１の表示部に第１の倍率で表示することを特徴とする撮像装置の制御方法。
【請求項９】
情報を表示する第１、第２の２つの表示部と、被写体情報と撮影設定情報の表示を切り替えるための操作入力部を有し、被写体情報を表示している状態では第２の表示部に表示し、前記操作入力部によって、撮影設定情報表示に切り替えられた場合には、第１の表示部に撮影設定情報を表示することを特徴とする撮像装置の制御方法。
【請求項１０】
請求項１〜９の制御方法において、第２の表示部を本体と切り離し可能とし、第２の表示部を本体に接続した場合に、請求項１〜９の動作を実行することを特徴とする撮像装置の制御方法。
【請求項１１】
撮影情報を表示する表示部と、本体と接続、及び、切り離し可能な電子ビューファインダを有し、電子ビューファインダーを本体に接続した場合と、切り離した場合とで、制御条件を切り替えることを特徴とする撮像装置の制御方法。
【請求項１２】
情報を表示する表示部と、本体と接続、及び、切り離し可能な電子ビューファインダーを有し、装置の制御条件を設定するための操作入力部を有し、電子ビューファインダーを本体に接続した場合と、切り離した場合とで、制御条件設定メニューを切り替えることを特徴とする撮像装置の制御方法。
【請求項１３】
情報を表示する表示部と、本体と接続、及び、切り離し可能な電子ビューファインダーを有し、装置の制御条件を設定するための操作入力部を有し、電子ビューファインダーを本体に接続したときに、制御条件設定メニューを表示することを特徴とする撮像装置の制御方法。
【請求項１４】
情報を表示する表示部と、本体と接続、及び、切り離し可能な電子ビューファインダーを有し、装置の制御条件を設定するための操作入力部を有し、表示部のオートＯＦＦ時間と、電子ビューファインダーのオートＯＦＦ時間を切り替えることを特徴とする撮像装置の制御方法。
【請求項１５】
情報を表示する表示部と、本体と接続、及び、切り離し可能な電子ビューファインダーを有し、装置の制御条件を設定するための操作入力部を有し、電子ビューファインダーを本体に接続した場合には、電子ビューファインダーのオートＯＦＦ時間設定メニューを含め、切り離した場合には、電子ビューファインダーのオートＯＦＦ時間を設定メニューには含めないことを特徴とする撮像装置の制御方法。
【請求項１６】
請求項１〜１５のいずれか１項に記載の撮像方法を行うことを特徴とする撮像装置。
【発明の詳細な説明】
【技術分野】
【０００１】
本発明は、撮像装置の制御技術に関するものである。
【背景技術】
【０００２】
近年、デジタルカメラの小型化により、光学ファインダをなくし、コストダウンと小型化を実現したデジタルカメラが発売されている。
【０００３】
このようなデジタルカメラでは、ＬＣＤモニタ表示を見ながら撮影するために、しっかりカメラをホールドせず、撮影してしまい、手ブレした写真が取れてしまうことがあった。このため、ユーザからファインダーを付けて欲しいという要望もあった。
【０００４】
また、光学ファインダに変わり、デジタルカメラに電子ビューファインダが搭載されているデジタルカメラもある。
【０００５】
ここで、合成モードが選択された場合、スルー画表示動作中に、ビューファインダ内の視線検出センサを用いて撮影者の視線方向を検出することにより主要被写体を特定する。画像処理部でスルー画間のパターンマッチングにより主要被写体と背景の像ぶれ量をそれぞれ検出し、レリーズ操作で開始する撮像動作時に主要被写体の像ぶれ量を補正するように撮像素子変位機構を制御し、手ぶれが大きく主要被写体の像ぶれを補正できない時、並進ぶれにより主要被写体と背景の像ぶれ量の差が許容値を超えた時に、警告を出すことで、デジタルカメラなどの撮像装置において、三脚などの固定具をすることなく、高品質の画素ずらし合成画像を得る技術が開示されている（例えば、特許文献１参照）。
【０００６】
また、デジタルスチルカメラは、デジタル形式で画像を撮像し、画像に係る画像データを画像メモリに保持する画像撮像装置と、外部プリント装置に接続可能なネットワークコンピュータに、ネットワークを介して接続するセルラー電話通信機と、画像を表示するディスプレイと、表示された画像の指定を受け付け、受け付けられた画像に係る画像データをプリントする外部プリント装置の指定を受け付けるコマンド入力部と、画像データを保持する画像メモリを制御して画像データを出力させ、接続されたネットワークコンピュータに画像データ、及び外部プリント装置の指定を送信させる制御を行うＣＰＵと、を備えることで、デジタルスチルカメラ自体のサイズ、重量およびメモリ容量を大きくすることなく、カメラが撮像する画像データの記憶容量を増大させる技術が開示されている（例えば、特許文献２参照）。
【特許文献１】特許第３７８８７１４号公報
【特許文献２】特開２００５−３１２０８５号公報
【発明の開示】
【発明が解決しようとする課題】
【０００７】
しかしながら、撮影条件によっては、どうしてもピントが合わなかったり、手ブレしてしまった状態で撮影し、後から画像を見直したときに失敗に気がつき、撮影の取り直しができないこともある。
【０００８】
本発明はこのような状況に鑑みてなされたものであり、撮影した画像の確認が大きな表示部で、より詳細に、簡単に確認しやすく、その場で取り直しができるユーザに便利な撮像装置の制御方法を提供することを目的としている。
【課題を解決するための手段】
【０００９】
請求項１記載の発明は、情報を表示する第１、第２の２つの表示部と、被写体の撮影を実行する撮影実行入力部を有し、被写体情報を表示している状態では第２の表示部に表示し、撮影実行入力部により、被写体情報を記録し、記録した情報の確認表示を、第１の表示部に表示することを特徴とする撮像装置の制御方法である。
【００１０】
請求項２記載の発明は、情報を表示する第１、第２の２つの表示部と、被写体の撮影を実行する撮影実行入力部を有し、被写体情報を表示している状態では第２の表示部に表示し、撮影実行入力部により、被写体情報を記録し、記録した情報の確認表示を所定時間、第１の表示部に表示することを特徴とする撮像装置の制御方法である。
【００１１】
請求項３記載の発明は、情報を表示する第１、第２の２つの表示部を有し、被写体情報を第２の倍率で第２の表示部に表示し、第２の倍率とは異なる第１の倍率で、被写体情報を第１の表示部に表示することを特徴とする撮像装置の制御方法である。
【００１２】
請求項４記載の発明は、情報を表示する第１、第２の２つの表示部と、被写体の撮影を実行する撮影実行入力部を有し、被写体情報を表示している状態では第２の表示部に第２の倍率で表示し、撮影実行入力部により、被写体情報を記録し、記録した情報の確認表示を所定時間、第１の表示部に第１の倍率で表示することを特徴とする撮像装置の制御方法である。
【００１３】
請求項５記載の発明は、情報を表示する第１、第２の２つの表示部と、被写体のピント合わせ実行入力部と、被写体の撮影を実行する撮影実行入力部を有し、被写体情報を表示している状態では第２の表示部に表示し、ピント合わせ実行入力部により、被写体のピント合わせ状態では、第１の表示部にも表示することを特徴とする撮像装置の制御方法である。
【００１４】
請求項６記載の発明は、情報を表示する第１、第２の２つの表示部と、被写体のピント合わせ実行入力部と、被写体の撮影を実行する撮影実行入力部を有し、被写体情報を表示している状態では第２の表示部に第２の倍率で表示し、ピント合わせ実行入力部により、被写体のピント合わせ状態では、第１の表示部にも第１の倍率で表示することを特徴とする撮像装置の制御方法である。
【００１５】
請求項７記載の発明は、情報を表示する第１、第２の２つの表示部と、被写体情報と撮影画像一時確認表示を切り替えるための操作入力部を有し、被写体情報を表示している状態では第２の表示部に表示し、操作入力部によって、撮影画像一時確認表示に切り替えられた場合には、第１の表示部に表示することを特徴とする撮像装置の制御方法である。
【００１６】
請求項８記載の発明は、情報を表示する第１、第２の２つの表示部と、被写体情報と撮影画像一時確認表示を切り替えるための操作入力部を有し、被写体情報を表示している状態では第２の表示部に第２の倍率で表示し、操作入力部によって、撮影画像一時確認表示に切り替えられた場合には、第１の表示部に第１の倍率で表示することを特徴とする撮像装置の制御方法である。
【００１７】
請求項９記載の発明は、情報を表示する第１、第２の２つの表示部と、被写体情報と撮影設定情報の表示を切り替えるための操作入力部を有し、被写体情報を表示している状態では第２の表示部に表示し、操作入力部によって、撮影設定情報表示に切り替えられた場合には、第１の表示部に撮影設定情報を表示することを特徴とする撮像装置の制御方法である。
【００１８】
請求項１０記載の発明は、請求項１〜９の制御方法において、第２の表示部を本体と切り離し可能とし、第２の表示部を本体に接続した場合に、請求項１〜９の動作を実行することを特徴とする撮像装置の制御方法である。
【００１９】
請求項１１記載の発明は、撮影情報を表示する表示部と、本体と接続、及び、切り離し可能な電子ビューファインダを有し、電子ビューファインダーを本体に接続した場合と、切り離した場合とで、制御条件を切り替えることを特徴とする撮像装置の制御方法である。
【００２０】
請求項１２記載の発明は、情報を表示する表示部と、本体と接続、及び、切り離し可能な電子ビューファインダーを有し、装置の制御条件を設定するための操作入力部を有し、電子ビューファインダーを本体に接続した場合と、切り離した場合とで、制御条件設定メニューを切り替えることを特徴とする撮像装置の制御方法である。
【００２１】
請求項１３記載の発明は、情報を表示する表示部と、本体と接続、及び、切り離し可能な電子ビューファインダーを有し、装置の制御条件を設定するための操作入力部を有し、電子ビューファインダーを本体に接続したときに、制御条件設定メニューを表示することを特徴とする撮像装置の制御方法である。
【００２２】
請求項１４記載の発明は、情報を表示する表示部と、本体と接続、及び、切り離し可能な電子ビューファインダーを有し、装置の制御条件を設定するための操作入力部を有し、表示部のオートＯＦＦ時間と、電子ビューファインダーのオートＯＦＦ時間を切り替えることを特徴とする撮像装置の制御方法である。
【００２３】
請求項１５記載の発明は、情報を表示する表示部と、本体と接続、及び、切り離し可能な電子ビューファインダーを有し、装置の制御条件を設定するための操作入力部を有し、電子ビューファインダーを本体に接続した場合には、電子ビューファインダーのオートＯＦＦ時間設定メニューを含め、切り離した場合には、電子ビューファインダーのオートＯＦＦ時間を設定メニューには含めないことを特徴とする撮像装置の制御方法である。
【００２４】
請求項１６記載の発明は、請求項１〜１５のいずれか１項に記載の撮像方法を行うことを特徴とする撮像装置である。
【発明の効果】
【００２５】
本発明によれば、しっかり構えやすい撮影ができ、なおかつ、撮影した画像の確認は、大きな表示部で、より詳細に、簡単に確認しやすく、その場で取り直しができるユーザに便利な撮像装置の制御方法を提供することができる。
【発明を実施するための最良の形態】
【００２６】
図１は本発明の１実施形態に係わるデジタルカメラの構造図である。この実施例のデジタルカメラは、レンズ、オートフォーカス等を含むメカ機構、ＣＣＤ、ＣＤＳ回路、Ａ／Ｄ変換器、デジタル信号処理部、画像圧縮・伸長部、カードインターフェース、ＰＣカードインターフェース、ＣＰＵ、モニタ、操作部、モータドライバ、ＳＧ（制御信号生成）部、電子ビューファインダ(ＥＶＦ)接続コネクタ、バッテリ、ＤＣ−ＤＣコンバータ、及び内蔵メモリを具備して構成されている。
【００２７】
レンズユニットは、レンズ、オートフォーカス（ＡＦ）・絞り・フィルター部を含むメカ機構等からなり、メカ機構のメカニカルシャッターは２つのフィールドの同時露光を行う。
【００２８】
ＣＣＤ（電荷結合素子）は、レンズユニットを介して入力した映像を電気信号（アナログ画像データ）に変換する。ＣＤＳ（相関２重サンプリング）回路は、ＣＣＤ撮像素子に対する低雑音化のための回路である。
【００２９】
また、Ａ／Ｄ変換器は、ＣＤＳ回路を介して入力したＣＣＤからのアナログ画像データをデジタル画像データに変換する。即ちＣＣＤの出力信号は、ＣＤＳ回路を通してＡ／Ｄ変換器で最適なサンプリング周波数（例えばＮＴＳＣ信号のサブキャリア周波数の整数倍）にてデジタル信号に変換される。
【００３０】
また、デジタル信号処理部は、Ａ／Ｄ変換器から入力したデジタル画像データについて、色差（Ｃｂ、Ｃｒ）と輝度（Ｙ）に分けて各種処理、補正および画像圧縮／伸長のためのデータ処理を施す。画像圧縮・伸長部は、例えばＪＰＥＧ準拠の画像圧縮・伸長の一過程である直交変換、並びに、ＪＰＥＧ準拠の画像圧縮・伸長の一過程であるハフマン符号化・復号化等を行う。
【００３１】
内蔵メモリは、ＣＰＵバスに接続されて、例えばＤＲＡＭ、ＳＲＡＭ、またはフラッシュメモリ等で実現されている。即ち、内蔵メモリには、撮像し圧縮処理された画像データ、或いは、図示しない伝送部を介して受信された画像データ等が記録される。また、内蔵メモリに保持された圧縮画像データは、カードインターフェースを通して読み出され、ＰＣカードインターフェースを介して接続されるＰＣカード等の記憶媒体へ記録される。
【００３２】
ＣＰＵは、操作部からの指示、或いは図示しないリモコン等の外部動作指示に従い、上記デジタルカメラ内部の全動作を制御する。また、操作部は、機能選択、撮影指示を行うレリーズスイッチ、及びその他の各種設定を外部から行うための各種スイッチを備えている。レリーズスイッチはピントを確認する半押し状態と、実際の撮影動作を行う全押し状態の２種類の状態を持ち、ＣＰＵはこれを検知することができる。
【００３３】
また、カメラ電源はバッテリ、例えば、ＮｉＣｄ、ニッケル水素、リチウム電池等から、ＤＣ−ＤＣコンバータに入力され、当該デジタルカメラ内部に供給される。ＥＶＦは、比較的小さな、例えば、０．５インチといった大きさのＬＣＤ等で実現され、目を近づけて覗いて撮影できるように光学的に調節されており、また、カメラ本体に接続、取り外しが可能になっている。またカメラ本体には、例えば、２．７インチといった大画面のＬＣＤで実現された、モニタが設けられている。
【００３４】
ＥＶＦ及びモニタ上には、撮影したデジタル画像データや、伸長処理された記録画像データを表示すると共に、当該デジタルカメラのバッテリ残量などの状態を表示する。本実施例のカメラでは、カメラの動作状態として、撮影モードと再生モードの状態があり、撮影モードにおいてはＥＶＦに被写体からの画像データを常時表示する。再生モードでは、ユーザの各種スイッチ操作により選択された、記録済みの画像をモニタに再生表示する。再生モードの状態ではモニタに画像を表示し、ＥＶＦには何も表示しないことにより電力消費を低減している。
【００３５】
次に本発明の主要な部分について説明する。
図２はこの実施形態のデジタルカメラの外観図であり、カメラ本体、撮影レンズ、モニタ、ＥＶＦ、レリーズスイッチ、画像確認スイッチが設けられている。図３はＥＶＦ検知部を示したものである。図中、ＥＶＦが本体にＥＶＦ側コネクタ部と本体側コネクタ部が接続されると、本体とＥＶＦの接続状態をメインＣＰＵが検知することができる。
【００３６】
ＥＶＦが本体に装着されている場合は、撮影モードの状態では、レンズから取り込んだ画像データをモニタに常時表示する。このとき、レリーズスイッチを半押し状態にすると、大画面モニタに被写体からの画像データを、１０倍表示する。これにより、ユーザは現在の状態で、ピントが正確に合っているかを、詳細に確認することができる。ここでレリーズスイッチを離すと、再びモニタの表示はＯＦＦされ、不要な電力消費を低減することができる。また、レリーズを全押し状態にすると、被写体から得た画像データの記録を行い、その後、例えば１秒間、モニタに記録情報を１０倍表示する。これによって実際に記録した画像のピントが正確に合っているかを、詳細に確認することができる。そして、１秒後には、再びモニタの表示はＯＦＦされ、不要な電力消費を低減することができる。
【００３７】
また、レリーズ半押し状態、全押し状態でのモニタへの１０倍表示時に、ＥＶＦ側の表示は、同じ１０倍の表示をしても良い。または、そのまま被写体の情報を表示し、画像データ記録中の表示をしても良い。
【００３８】
一方、操作部にある図示しない画像確認キーを押すと、撮影モードであっても、最終画像を一時的にモニタに１０倍表示する。これにより、１秒の経過後でも、画像のピントが正確にあっていたかを確認することができ、合っていない場合には、その場で再度撮影しなおすことができる。
【００３９】
また、カメラ本体にＥＶＦが接続されていない状態では、撮影モードでの、レリーズ半押し状態、全押し状態で、モニタへ被写体情報を１０倍表示、記録画像データを１０倍表示し、画像確認キーにより、最終記録画像データを１０倍表示してもよい。
【００４０】
次に、本発明の主要な部分を示す、図４のフローチャートについて説明する。
【００４１】
Ｓ１で撮影モードかどうかをチェックする。撮影モードであればＳ２に進み、撮影モードでなければＳ１０へ進み、再生モードの動作を行う。Ｓ２では画像確認キーが押されたかどうかをチェックする。押されていればＳ１３に進み最終記録画像をモニタに１０倍表示しＳ１に戻る。押されていなければＳ３に進む。
【００４２】
Ｓ３では撮影設定キーが押されたかどうかのチェックを行う。押されていれば、撮影設定メニューをモニタに表示し、Ｓ１５に進み、押されていなければＳ４に進む。Ｓ１５では撮影設定処理を行い、Ｓ１６に進む。Ｓ１６では撮影設定が完了したかのチェックを行う。完了していればＳ１に戻り、完了していなければ待機する。
【００４３】
Ｓ４ではレリーズが半押し状態になっているかチェックし、半押し状態であれば、Ｓ１７に進み、被写体情報をモニタに１０倍表示してＳ１に戻る。半押し状態でなければ、Ｓ５に進む。Ｓ５ではレリーズが全押し状態かどうかをチェックし、全押し状態であればＳ１８にて被写体情報を記録し、Ｓ１９１に進む。Ｓ１９では、記録画像をモニタに１０倍で表示し、Ｓ２０に進む。Ｓ２０では、例えば１秒間のタイマをスタートし、Ｓ２１に進む。Ｓ２１では、タイマの計時が完了したかをチェックし、完了していなければ待機し、完了していればＳ１に戻る。Ｓ５のチェックで、レリーズ全押し状態でない場合は、Ｓ６にてモニタをＯＦＦし、Ｓ７に進む。Ｓ７では、ＥＶＦが接続されているかをチェックし、接続されていればＳ８に進む。接続されていなければＳ９に進み、被写体情報をモニタに等倍率で表示し、Ｓ１に戻る。Ｓ８では被写体情報をＥＶＦに等倍で表示し、Ｓ１に戻る。
【００４４】
また、Ｓ1のチェックで、Ｓ１０に進んだ場合は、最終記録画像をモニタに表示し、Ｓ１１に進む。Ｓ１１で、再生モード処理を行い、Ｓ１２に進む。Ｓ１２では再生モードが完了かどうかをチェックし、完了していなければ待機し、完了であればＳ１に戻る。
【００４５】
従来、撮影時に画質設定や、露出補正、ホワイトバランスなどの撮影設定条件を変更することがあり、その場合に、ＥＶＦの中の表示を見ながら設定するのは、操作しにくかった。本発明によれば、しっかり構えやすい撮影ができ、なおかつ、撮影設定するときは、大きな表示部で簡単に設定することができる、ユーザに便利な撮像装置の制御方法を提供することができる。また、第２の表示部を本体と切り離し可能とし、第２の表示部を本体に接続した場合に、請求項１の動作を実行するようにしたので、第２の表示部を使用しない場合は省スペースで、第２の表示部を使用する場合には、しっかり構えやすい撮影ができ、なおかつ、撮影設定を行うときには、大きな表示部で簡単に設定することができる、ユーザに便利な撮像装置の制御方法を提供することができる。
【００４６】
次に、本発明の他の実施の形態について説明する。上記のＥＶＦ検知部を示した図３において、ＥＶＦを本体に装着すると、ＥＶＦのオートＯＦＦ時間の設定メニューが表示される。ここでＥＶＦのオートＯＦＦ時間設定後、ＥＶＦには被写体から得た画像データを表示する。その後、ＥＶＦのオートＯＦＦ時間が経過すると、ＥＶＦの表示はＯＦＦされ、不要な電力消費を低減することができる。さらに、モニタのオートＯＦＦ時間が経過すると、モニタもＯＦＦされさらに消費電力が低減される。モニタとＥＶＦは設定メニュースイッチ（図２の撮影設定スイッチ部分が該当するものとする。）、レリーズスイッチ、電源スイッチを押下すると再びＯＮされる。
【００４７】
このとき、設定メニュースイッチの操作により設定メニューを表示すると、ＥＶＦのオートＯＦＦ設定が含まれたメニューが表示され、ＥＶＦのオートＯＦＦ時間の設定が変更ができる。また、モニタのオートＯＦＦ時間の設定メニューも可能となっている。
【００４８】
また、カメラ本体にＥＶＦが接続されていない状態では、設定メニュースイッチの操作により設定メニューを表示しても、モニタのオートＯＦＦ時間設定は含まれているが、ＥＶＦのオートＯＦＦ時間設定は含まれていない。
【００４９】
図５のフローチャートを参照すると、まず、Ｓ１で設定キーが押されたかどうかのチェックを行い、押されていなければＳ２に進み、押されていればＳ６に進む。Ｓ２ではＥＶＦが接続されたかどうかをチェックし、ＥＶＦが接続されたのであればＳ３に進み、そうでなければＳ１１に進む。Ｓ３ではＥＶＦオートＯＦＦ時間設定を表示し、Ｓ４に進む。Ｓ４では設定が完了するまで待機し、設定が完了すればＳ５に進みタイマをクリアしＳ１に戻る。Ｓ６ではＥＶＦ接続状態かどうかをチェックする。ＥＶＦ接続状態であればＳ７に進み、接続されていなければＳ１０に進む。Ｓ７ではＥＶＦオートＯＦＦ時間を含む設定メニューを表示し、Ｓ８に進む。Ｓ１０ではＥＶＦオートＯＦＦ時間を含まない設定メニューを表示し、Ｓ８に進む。Ｓ８では設定完了するまで待機し、設定完了であればＳ９に進む。Ｓ９では、タイマクリアし、その後Ｓ１に戻る。Ｓ１１ではタイマ１がオーバーしたかチェックする、オーバーしていればＳ１２に進み、ＥＶＦをＯＦＦしてＳ１に戻る。Ｓ１１でタイマ１がオーバーしていなければＳ１３に進み、タイマ２がオーバーしたかどうかをチェックする。タイマ２がオーバーしていなければＳ１に戻り、オーバーしていればＳ１４に進む。Ｓ１４ではモニタＯＦＦしてＳ１に戻る。
【００５０】
本実施の形態によれば、ユーザに便利な撮像装置の制御方法を提供することができる。
【００５１】
なお、上述する各実施の形態は、本発明の好適な実施の形態であり、本発明の要旨を逸脱しない範囲内において種々変更実施が可能である。例えば、装置の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。本発明は静止画撮影機能を有するデジタルビデオカメラや、デジタルカメラ付き携帯電話にも適用できる。
【図面の簡単な説明】
【００５２】
【図１】本発明の実施の形態の構成図である。
【図２】デジタルカメラの外観図である。
【図３】ＥＶＦ検知部を示した図である。
【図４】本発明の実施の形態の処理動作を説明する図である。
【図５】本発明の他の実施の形態の処理動作を説明する図である。
【図１】
2009021947.tif 000003
【図２】
2009021947.tif 000004
【図３】
2009021947.tif 000005
【図４】
2009021947.tif 000006
【図５】
2009021947.tif 000007
【手続補正書】
【提出日】平成19年7月23日(2007.7.23)
【手続補正１】
【補正対象書類名】明細書
【補正対象項目名】０００５
【補正方法】変更
【補正の内容】
【０００５】
一方、手ブレを低減させる技術として、合成モードが選択された場合、スルー画表示動作中に、ビューファインダ内の視線検出センサを用いて撮影者の視線方向を検出することにより主要被写体を特定し、画像処理部でスルー画間のパターンマッチングにより主要被写体と背景の像ぶれ量をそれぞれ検出し、レリーズ操作で開始する撮像動作時に主要被写体の像ぶれ量を補正するように撮像素子変位機構を制御し、手ぶれが大きく主要被写体の像ぶれを補正できない時、並進ぶれにより主要被写体と背景の像ぶれ量の差が許容値を超えた時に、警告を出すことで、デジタルカメラなどの撮像装置において、三脚などの固定具をすることなく、高品質の画素ずらし合成画像を得る技術も開示されている（例えば、特許文献１参照）が、撮影条件によっては、どうしてもピントが合わなかったり、手ブレしてしまった状態で撮影し、後から画像を見直したときに失敗に気がつき、撮影の取り直しができないこともある。
【特許文献１】特許第３７８８７１４号公報
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】